(57)【要約】【課題】一般の多層膜とは異なる独特のカラーシフトを有することにより、視認性およびセキュリティ性が高く、かつカラー複写機などによる偽造や改ざんが困難な識別媒体を提供する。【解決手段】紫外域寄りの波長域を反射し光の反射特性が視野角の増大に伴って紫外域へ移行する第１の多層膜層１１Ａと、赤外域寄りの波長域を反射し光の反射特性が視野角の増大に伴って赤外域から可視光域へ移行する第２の多層膜層１１Ｂとを積層した。【選択図】図５
2010134333.tif 000002
【特許請求の範囲】
【請求項１】
紫外域寄りの波長域を反射し光の反射特性が視野角の増大に伴って紫外域へ移行する第１のカラーシフト層と、赤外域寄りの波長域を反射し光の反射特性が視野角の増大に伴って赤外域から可視光域へ移行する第２のカラーシフト層とを積層したことを特徴とする識別媒体。
【請求項２】
前記第１のカラーシフト層および前記第２のカラーシフト層の少なくとも一方は、異なる屈折率を有する光透過性薄膜を多層に積層した多層膜層であることを特徴とする請求項１に記載の識別媒体。
【請求項３】
前記光透過性薄膜がフィルムであることを特徴とする請求項２に記載の識別媒体。
【請求項４】
前記第１のカラーシフト層および前記第２のカラーシフト層の少なくとも一方は、特定の波長域の円偏光を反射する円偏光選択性を有するコレステリック液晶層であることを特徴とする請求項１に記載の識別媒体。
【請求項５】
前記多層膜層は、前記光透過性薄膜を蒸着により形成したものであることを特徴とする請求項２または３に記載の識別媒体。
【請求項６】
前記多層膜層は、前記光透過性薄膜として光干渉性顔料を塗工することにより形成したものであることを特徴とする請求項２または３に記載の識別媒体。
【請求項７】
前記第１のカラーシフト層および前記第２のカラーシフト層の少なくとも一方の一部または全域に、ホログラム加工または型押し加工が施されていることを特徴とする請求項１〜６のいずれかに記載の識別媒体。
【請求項８】
前記第１のカラーシフト層および前記第２のカラーシフト層の少なくとも一方の一部に、図柄が設けられていることを特徴とする請求項１〜７のいずれかに記載の識別媒体。
【請求項９】
外力が加えられることにより破壊される層間剥離構造または剥離破壊構造を備えていることを特徴とする請求項１〜８のいずれかに記載の識別媒体。
【請求項１０】
請求項１〜９のいずれかに記載の識別媒体に、光の反射特性が視野角に依存してブルーシフトする第３のカラーシフト層を並べて配置したことを特徴とする識別媒体。
【請求項１１】
請求項１〜１０のいずれかに記載の識別媒体に、印刷層を並べて配置したことを特徴とする識別媒体。
【請求項１２】
請求項４に記載の識別媒体を識別する方法であって、前記識別媒体に所定の旋回方向の円偏光を含む光を照射し、その反射光を観察することを特徴とする識別媒体の識別方法。
【請求項１３】
請求項４に記載の識別媒体を識別する識別装置であって、前記識別媒体に所定の旋回方向の円偏光を含む光を照射する照射手段と、前記識別媒体からの反射光を検出する検出手段とを備えたことを特徴とする識別媒体の識別装置。
【発明の詳細な説明】
【技術分野】
【０００１】
本発明は、パスポート、書類、各種カード、パス、紙幣、金券、証券、証書、商品券、絵画、切符、公共競技投票券、音楽や映像が記録された記録媒体、コンピュータソフトウェアが記録された記録媒体、各種製品のパッケージ等の真正性（真贋性）を識別するための識別媒体に係り、特に、多層膜干渉によるカラーシフトが通常とは逆の方向に起こる識別媒体に関する。
【背景技術】
【０００２】
多層膜に光が入射すると、反射光には各膜の膜厚と屈折率の違いによる光路差が生じるため、干渉が起こる（多層膜干渉）。通常、多層膜へ入射する光の入射角が大きくなる（視野角が大きくなる）と光路差は小さくなるため、より短波長の光が強め合う。そのため、多層膜が視線と垂直の状態（視野角０）から徐々に多層膜を傾けてゆく（視野角を大きくしてゆく）と多層膜の色は徐々に短波長の色に変化してゆく（ブルーシフト）。
【０００３】
物品の真贋性を識別する技術として、上記のような多層膜を識別媒体とした技術が知られている（例えば特許文献１）。
【０００４】
【特許文献１】特開２００５−０８５０９４号公報
【発明の開示】
【発明が解決しようとする課題】
【０００５】
しかしながら、偽造技術が高くなってきている背景において、多層膜を用いた識別媒体に関しても、より偽造が困難で、高い識別性が得られるものが求められている。
【０００６】
よって、本発明は、一般の多層膜とは異なる独特のカラーシフトを有することにより、視認性およびセキュリティ性が高く、かつカラー複写機などによる偽造や改ざんが困難な識別媒体を提供することを目的とする。
【課題を解決するための手段】
【０００７】
本発明の識別媒体は、紫外域寄りの波長域を反射し光の反射特性が視野角の増大に伴って紫外域へ移行する第１のカラーシフト層と、赤外域寄りの波長域を反射し光の反射特性が視野角の増大に伴って赤外域から可視光域へ移行する第２のカラーシフト層とを積層したことを特徴とする。
【０００８】
本発明の作用を図１を参照して説明する。図１に示すように、第２のカラーシフト層Ｂの表面に第１のカラーシフト層Ａが積層されている構成を想定する。第１のカラーシフト層Ａでは、紫外域寄りの波長域を反射し光の反射特性が視野角の増大に伴って可視光域から紫外域へ移行するから、視野角θが０°では、可視光域の短波長の光を反射し、視野角θが大きくなると紫外域の光（不可視光）を反射する。一方、第２のカラーシフト層Ｂでは、赤外域寄りの波長域を反射し光の反射特性が視野角の増大に伴って赤外域から可視光域へ移行するから、視野角θが小さいと赤外域の光（不可視光）を反射し、視野角θが大きいと可視光域の長波長の光を反射する。
【０００９】
したがって、視野角θが０°で図１の構成を見ると、第１のカラーシフト層Ａの短波長の反射光が見え、視野角θを大きくしてゆくと、可視光である短波長の光から紫外域の光となって見えなくなる。一方、第２のカラーシフト層Ｂでは、視野角θが０°のとき反射光は赤外域の光で見えないが、視野角θを大きくしてゆくと、可視光である長波長の反射光が見えるようになる。したがって、視野角θを０°から大きくしてゆくと、第１のカラーシフト層Ａによる可視光である短波長の反射光から第２のカラーシフト層Ｂによる可視光である長波長の反射光に移行し、ブルーシフトとは逆の現象、つまりレッドシフトが生じる。
【００１０】
本発明では、第１のカラーシフト層Ａと第２のカラーシフト層Ｂの位置を図１に示したものと逆にしても上記と同一の作用を奏する。また、第１、第２のカラーシフト層Ａ，Ｂは、光の反射特性が視野角に異存するものであれば任意である。
【００１１】
すなわち、第１のカラーシフト層および第２のカラーシフト層の少なくとも一方は、異なる屈折率を有する光透過性薄膜を多層に積層した多層膜層とすることができる。あるいは、多層膜層に代えてまたは多層膜層とともに特定の波長域の円偏光を反射する円偏光選択性を有するコレステリック液晶層を用いることもできる。
【００１２】
ここで、多層膜層においてブルーシフトが生じる原理を説明する。図２は多層膜層に入射した光が各層で反射する様子を示す図である。多層膜層に白色光を当てると、異なる屈折率を有する光媒体の界面において入射光の反射がフレネルの反射則に従って発生する。この際、Ａ層とＢ層との界面において、入射光の一部が反射し、その他は透過する。Ａ層とＢ層との間の界面は繰り返し現れるので、各界面で生じた反射光は干渉する。その際、干渉し強め合った波長域の光が強く反射しているように見える。
【００１３】
入射光の入射角を徐々に大きくすると、各界面で生じた反射光の光路差は徐々に小さくなり、より短波長の光が干渉し強め合うようになる。したがって、白色光が当たっている多層膜層をより斜め（面に対してより平行に近い角度）から見る程、より短波長の光が強く反射しているように見える。
【００１４】
強め合う波長域は、各層をなすポリマーなどの素材の屈折率と膜厚、層数などにより任意に設定可能である。したがって、それらの条件を適宜設定することにより、第１のカラーシフト層および第２のカラーシフト層の反射光の波長域を前述のように設定することができる。
【００１５】
たとえば、垂直入射光を観察して（つまり正面から見て）例えば赤色に呈色する多層膜層の反射色は、視野角を大きくするに従い（つまり多層膜層を傾けるに従い）オレンジ色、黄色、緑色、青緑色、青色と順次変化するように観察される（ブルーシフト）。
【００１６】
次に、コレステリック液晶層においてカラーシフトが生じる原理を説明する。まず、コレステリック液晶について簡単に説明する。図３は、コレステリック液晶層の構造を概念的に示す概念図であり、図４は、コレステリック液晶層が有する光学的な性質を説明する概念図である。図４には、自然光を入射させると、特定波長の右回り円偏光が反射され、左回り円偏光および直線偏光、さらにその他の波長の右回り円偏光がコレステリック液晶層２０１を透過する様子が示されている。
【００１７】
コレステリック液晶層は、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。
【００１８】
この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓの円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。したがって、ｎ，Ｐを適宜設定することにより、第１のカラーシフト層および第２のカラーシフト層の反射光の波長域を前述のように設定することができる。
【００１９】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００２０】
ここで、隣接する層で屈折率が異なる光透過性の多層膜層に斜めから光が入射すると、その光は、多層構造の各界面において反射される。この反射は、上下に隣接する光透過性の層の屈折率が異なることに起因する。また、１層の界面を見た場合、反射されるのは、入射光の一部であり、入射光の大部分は透過する。つまり、多層に積層された界面に入射した入射光は、各界面において少しずつ反射されてゆく。この各界面で発生した反射光は、基本的に同じ方向に反射するので、それらは光路差に起因する干渉を起こす。
【００２１】
入射光がより面に平行に近い方向から入射する程、光路差は小さくなるので、より短波長の光が干渉し、強め合うことになる。この原理から、視野角を大きくしていった場合に、より短波長の反射光同士が干渉し、強め合うことになる。この結果、白色光下で多層膜層を見た場合に、視野角０°で多層膜層が所定の色合いに見えたものが、視野角を大きくしてゆくに従い、徐々に青みがかった色に見た目の色彩が変化する現象が観察される。この現象がブルーシフトである。
【００２２】
本発明では、多層膜層は任意の方法で形成することができる。たとえば、光透過性薄膜はフィルムで構成することができる。あるいは、光透過性薄膜を蒸着により形成することによって多層膜層を形成することができる。あるいは、多層膜層は、光透過性薄膜として光干渉性顔料を塗工することにより形成することもできる。
【００２３】
第１のカラーシフト層および第２のカラーシフト層の少なくとも一方の一部または全域に、ホログラム加工または型押し加工を施すことができる。また、第１のカラーシフト層および第２のカラーシフト層の少なくとも一方の一部に、図柄を設けることができる。このような態様を採用することにより、偽造がより困難となる。さらに、外力が加えられることにより破壊される層間剥離構造または剥離破壊構造を備えることもできる。加えて、上記のような識別媒体に、光の反射特性が視野角に依存してブルーシフトする第３のカラーシフト層を並べて配置すると、構造が複雑となってさらに偽造が困難となる。さらに、上記構成の識別媒体に、印刷層を並べて配置することができる。このような態様では、光の反射特性が視野角に異存しない印刷層の色と識別媒体のカラーシフトを比較することにより、視認性を高めることができる。
【００２４】
次に、本発明は、識別媒体の識別方法であって、特定の波長域の円偏光を反射する円偏光選択性を有するコレステリック液晶層を第１のカラーシフト層および／または第２のカラーシフト層とした識別媒体を識別する方法であって、識別媒体に所定の旋回方向の円偏光を照射し、その反射光を観察することを特徴としている。
【００２５】
また、本発明は、識別媒体の識別装置であって、特定の波長域の円偏光を反射する円偏光選択性を有するコレステリック液晶層を第１のカラーシフト層および／または第２のカラーシフト層とした識別媒体を識別する識別装置であって、識別媒体に所定の旋回方向の円偏光を照射する照射手段と、識別媒体からの反射光を検出する検出手段とを備えたことを特徴としている。
【発明の効果】
【００２６】
本発明によれば、一般の多層膜干渉とは異なる独特のカラーシフトを有することにより、視認性およびセキュリティ性が高く、かつカラー複写機などによる偽造や改ざんが困難な識別媒体を提供することができ、しかも識別を容易にそして確実に行うことができる技術を提供することができる。
【発明を実施するための最良の形態】
【００２７】
（１）実施形態の説明
図５は本発明の実施形態による識別媒体の断面図である。図５には、物品への貼り付けを行う前の状態（未使用状態）の識別媒体１が示されている。図５において符号１０は、光吸収層１０である。光吸収層１０は、例えば黒色等の暗色に着色されている。光吸収層１０の表面には、第２の多層膜層（第２のカラーシフト層）１１Ｂが積層され、第２の多層膜層１１Ｂの表面には、接着層１２を介して第１の多層膜層（第１のカラーシフト層）１１Ａ２が積層されている。多層膜層１１Ａ，１１Ｂは、異なる屈折率を有する光透過性薄膜を多層に積層して構成されている。また、光吸収層１０の裏面には、接着層１３が積層されている。なお、接着層１２，１３は粘着層であってもよい。また、接着層１３が光吸収性である場合には、光吸収層１０を省略することができる。
【００２８】
第１の多層膜層１１Ａは、紫外域寄りの波長域（例えば緑〜青）を反射し光の反射特性が視野角の増大に伴って紫外域へ移行するように構成されている。また、第２の多層膜層１１Ｂは、赤外域寄りの波長域（例えば赤〜黄）を反射し光の反射特性が視野角の減少に伴って赤外域へ移行するように構成されている。
【００２９】
第１の多層膜層１１Ａでは、紫外域寄りの波長域を反射し光の反射特性が視野角の増大に伴って紫外域へ移行するから、視野角θが０°では、可視光域の短波長の光（例えば緑〜青）を反射し、視野角θが大きくなると紫外域の光（不可視光）を反射する。一方、第２の多層膜層１１Ｂでは、赤外域寄りの波長域を反射し光の反射特性が視野角の増大に伴って赤外域から可視光域へ移行するから、視野角θが０°では、赤外域の光（不可視光）を反射し、視野角θが大きくなると可視光域の長波長の光（例えば赤〜黄）を反射する。
【００３０】
したがって、視野角θが０°で図５の識別媒体１を見ると、第１の多層膜層１１Ａの短波長の反射光（例えば緑〜青）が見え、視野角θを大きくしてゆくと、反射光が青から紫外域の光となって見えなくなる。一方、第２の多層膜層１１Ｂでは、視野角θが０°で反射光は赤外域の光で見えないが、視野角θを大きくしてゆくと、長波長の反射光（例えば赤〜黄）が見えるようになる。したがって、識別媒体１の可視光域の反射光は、視野角θを０°から大きくしてゆくと、第１の多層膜層１１Ａによる短波長の反射光（例えば緑〜青）から第２の多層膜層１１Ｂによる長波長の反射光（例えば赤〜黄）に移行する。
【００３１】
（２）実施形態の変更例の説明
Ａ．第１変更例
第１の多層膜層１１Ａおよび第２の多層膜層１１Ｂに代えてコレステリック液晶層を用いることができる。この場合において、２つのコレステリック液相層を右回り円偏光または左回り円偏光のものとする態様や、いずれか一方を右回り円偏光のものとし、他方を左回り円偏光のものとする態様を採用することができる。
【００３２】
第１、第２の多層膜層１１Ａ，１１Ｂを構成する光透過性薄膜は、例えばセラミックスを蒸着することで形成することができ、あるいは光干渉性顔料を塗工することによっても形成することができる。第１、第２の多層膜層１１Ａ，１１Ｂのいずれか一方に蒸着を用い、他方に光干渉性顔料を用いることもできる。この場合、多層膜層に蒸着を用いることにより、接着層１２を省略することもできる。
【００３３】
Ｂ．第２変更例
図６に示すように、多層膜層１１Ａ，１１Ｂにホログラム加工や型押し加工を施すことができる。図６（Ａ）は第１の多層膜層１１Ａにホログラム加工や型押し加工を施した例、図６（Ｂ）は第２の多層膜層１１Ｂにホログラム加工や型押し加工を施した例、図６（Ｃ）は図６（Ａ）は第１、第２の多層膜層１１Ａ，１１Ｂに異なる図柄のホログラム加工や型押し加工を施した例である。なお、ホログラム加工や型押し加工は、第１、第２の多層膜層１１Ａ，１１Ｂの表面または裏面のいずれに形成してもよい。
【００３４】
図６（Ａ）の態様では、視野角θが０°でホログラム加工や型押し加工による図柄が見え、視野角θを大きくしてゆくと図柄が消える。これは、ホログラム等が第１の多層膜層１１Ａに形成されているため、視野角θを大きくすると、第１の多層膜層１１Ａからは紫外域の光（不可視光）を反射するようになるからである。同等の理由により、図６（Ｂ）の態様では、視野角θが０°ではホログラム加工や型押し加工による図柄は見えないが、視野角θを大きくしてゆくと図柄が見える。また、図６（Ｃ）の態様では、視野角θを変化させると、識別媒体１の色とともに見える図柄が変化する。
【００３５】
Ｃ．第３変更例
図７に示すように、第１、第２の多層膜層１１Ａ，１１Ｂには図柄を印刷することができる。図７（Ａ）に示す態様では、第１の多層膜層１１Ａの表面に、視野角θが０°のときの色（例えば青緑）に類似した色の印刷Ａが施されている。この場合、視野角θが０°のとき印刷Ａは背景に紛れて見えないが、視野角θを大きくすると背景がレッドシフトするので印刷Ａが見えるようになる。
【００３６】
また、第１の多層膜層１１Ａの表面に、視野角θが大きいときの色（例えば橙）に類似した色の印刷Ｂが施されている。この場合、視野角θが０°のとき印刷Ｂは見えるが、視野角θを大きくすると背景がレッドシフトするので背景に紛れて見えなくなる。
【００３７】
さらに、第２の多層膜層１１Ｂの表面に、光吸収層である印刷Ｃが施されている。この場合、視野角θが０°のときは第１の多層膜層１１Ａにより可視光が反射され、かつ印刷Ｃの下層である第２の多層膜層１１Ｂからは赤外域の光（不可視光）を反射するため、印刷Ｃは見えない。一方、視野角θを大きくすると第１の多層膜層１１Ａから紫外域の光（不可視光）を反射し、かつ印刷Ｃの下層である第２の多層膜層１１Ｂからは可視光を反射するため、印刷Ｃが見える。
【００３８】
図７（Ｂ）は図７（Ａ）において第１の多層膜層１１Ａと第２の多層膜層１１Ｂの位置が入れ替えられ、第１の多層膜層１１Ａの表面に、光吸収層である印刷Ｃ’が施されている例を示すものである。この場合、視野角θが０°のときは、第２の多層膜層１１Ｂにより赤外域の光（不可視光）が反射され、かつ印刷Ｃ’の下層である第１の多層膜層１１Ａからは可視光を反射するため、印刷Ｃ’が見える。一方、視野角θを大きくすると第２の多層膜層１１Ｂから可視光を反射し、かつ印刷Ｃ’の下層の第１の多層膜層１１Ａからは紫外域の光（不可視光）を反射するため、印刷Ｃ’は見えない。
【００３９】
Ｄ．第４変更例
第１、第２の多層膜層１１Ａ，１１Ｂのいずれかもしくは両方が多層膜層ではなくコレステリック液晶によって構成されている場合には、右／左円偏光を選択的に透過する光学フィルタを使用して真贋を判別することが可能である。すなわち、第１のコレステリック液晶層は、紫外域寄りの波長域（例えば青緑）を反射し光の反射特性が視野角の増大に伴って紫外域へ移行するように構成され、第２のコレステリック液晶層は、赤外域寄りの波長域（例えば橙）を反射し光の反射特性が視野角の増大に伴って赤外域から可視光域へ移行するように構成される。
【００４０】
（ａ）上記態様において、第１のコレステリック液晶層と第２の多層膜層１１Ｂを用い、第１のコレステリック液晶層が右円偏光を選択的に反射するように構成することができる。そして、右円偏光を選択的に透過する光学フィルタ（以下、「右フィルタ」という）を介して識別媒体１を見た場合には、視野角θが０°のときに青緑に見え、視野角θを大きくすると橙に見える。また、左円偏光を選択的に透過する光学フィルタ（以下、「左フィルタ」という）を介して識別媒体１を見た場合には、視野角θが０°のときに光吸収層が見え、視野角θを大きくすると橙に見える。
【００４１】
（ｂ）上記態様において、第１の多層膜層１１Ａと第２のコレステリック液晶層とを用い、第２のコレステリック液晶層が右円偏光を選択的に反射するように構成することができる。そして、右フィルタを介して識別媒体１を見た場合には、視野角θが０°のときに青緑に見え、視野角θを大きくすると橙に見える。また、左フィルタを介して識別媒体１を見た場合には、視野角θが０°のときに青緑に見え、視野角θを大きくすると光吸収層が見える。
【００４２】
（ｃ）第１、第２のコレステリック液晶層が右円偏光を選択的に反射するように構成することができる。そして、右フィルタを介して識別媒体１を見た場合には、視野角θが０°のときに青緑に見え、視野角θを大きくすると橙に見える。また、左フィルタを介して識別媒体１を見た場合には、視野角θが０°のときに光吸収層が見え、視野角θを大きくしても光吸収層が見える。
【００４３】
（ｄ）第１のコレステリック液晶層が右円偏光を選択的に反射するように構成し、第２のコレステリック液晶層が左円偏光を選択的に反射するように構成することができる。そして、右フィルタを介して識別媒体１を見た場合には、視野角θが０°のときに青緑に見え、視野角θを大きくすると光吸収層が見える。また、左フィルタを介して識別媒体１を見た場合には、視野角θが０°のときに光吸収層が見え、視野角θを大きくすると橙に見える。
【００４４】
なお、２つのカラーシフト層のうち少なくとも下層側にコレステリック液晶層を用いる場合には、表層側の多層膜層もしくはコレステリック液晶層は、下層側のコレステリック液晶層から反射した光が透過する際に、その偏光状態を乱さないように等方性である必要がある。
【００４５】
Ｅ．第５変更例
識別媒体１に、外力が加えられることにより破壊される層間剥離構造または剥離破壊構造を備えることができる。物品から識別媒体１を剥がすような外力が加えられたときに、例えば第１、第２の多層膜層１１Ａ，１１Ｂの一方または双方の層内に破壊が生じて識別媒体１が分断されるようにすることができる（層間剥離構造）。あるいは、第１の多層膜層１１Ａ等と隣接する層が剥離するように構成することもできる（剥離破壊構造）。層間剥離や剥離破壊が生じ易くすることで、識別媒体を剥がして再利用しようとする不正が防止できる。
【００４６】
Ｆ．第６変更例
識別媒体１の一部に切れ目を入れることができる。これにより、再利用のために識別媒体１を物品から無理矢理剥がそうとした場合に、切れ目から識別媒体１が破れ、その再利用ができなくなる。また、このような態様は、パッケージの開封の有無を識別する開封識別シールに応用することができる。
【００４７】
Ｇ．第７変更例
図８に示すように、上記構成の識別媒体１（領域Ｂ）に、光の反射特性が視野角に依存してブルーシフトする第３のカラーシフト層１５（領域Ａ）を並べて配置することができる。このような態様では、視野角θが０°のときに、領域Ｂでは第１の多層膜層１１Ａが例えば青緑に見え、領域Ａでは例えば黄に見える。そして、視野角θを大きくすると、領域Ａではブルーシフトして例えば青に見え、領域Ｂではレッドシフトして例えば橙に見える。この態様では構造が複雑となってさらに偽造が困難となる。なお、第３のカラーシフト層１５は、多層膜層であってもコレステリック液晶層であってもよい。また、コレステリック液晶層は、右円偏光または左円偏光を選択的に反射するように構成することができる。なお、領域Ａのレッドシフトと領域Ｂのブルーシフトが完全に逆転していることが望ましい。たとえば、領域Ａが視野角θが０°のときに例えば青緑に見え、視野角θを大きくすると例えば橙に見えるのであれば、領域Ｂは視野角θが０°のときに橙に見え、視野角θを大きくすると青緑に見えることが望ましい。このように、各領域のカラーシフト挙動が逆転することにより、視認性を向上させることができる。
【００４８】
Ｈ．第８変更例
図９に示すように、上記構成の識別媒体１（領域Ｃ）に、光の反射特性が視野角に異存しない印刷層（領域Ｄ）を並べて配置することができる。印刷層（領域Ｄ）の色を視野角θが０°のときの識別媒体１の色にすれば、視野角θが０°のときは領域Ｃと領域Ｄが同じ色に見え、視野角θを大きくすると領域Ｃと領域Ｄの色の違いを視認することができる（図９（Ａ）参照）。また、印刷層（領域Ｄ）の色を視野角θが大きいときの識別媒体１の色にすれば、視野角θが０°のときは領域Ｃと領域Ｄの色の違いを視認することができるが、視野角θを大きくすると領域Ｃと領域Ｄが同じ色に見える。このような態様では、視野角に異存しない印刷層の色と識別媒体１のカラーシフトを比較することにより、視認性を高めることができる（図９（Ｂ）参照）。
【図面の簡単な説明】
【００４９】
【図１】本発明の原理の一部を示す概念図である。
【図２】多層膜層の原理の一部を示す概念図である。
【図３】コレステリック液晶の原理の一部を示す概念図である。
【図４】コレステリック液晶の原理の一部を示す概念図である。
【図５】本発明の実施形態の識別媒体の概略の構造を示す断面図である。
【図６】本発明の変更例の識別媒体の概略の構造を示す断面図である。
【図７】本発明の他の変更例の識別媒体の概略の構造を示す断面図および見え方を概念的に示す図である。
【図８】本発明のさらに他の変更例の識別媒体の概略の構造を示す断面図および見え方を概念的に示す図である。
【図９】本発明のさらに他の変更例の識別媒体の見え方を概念的に示す図である。
【符号の説明】
【００５０】
１  識別媒体
１０  光吸収層
１１Ａ  第１の多層膜層（第１のカラーシフト層）
１１Ｂ  第２の多層膜層（第２のカラーシフト層）
１２  接着層
１３  接着層
【図１】
2010134333.tif 000003
【図２】
2010134333.tif 000004
【図３】
2010134333.tif 000005
【図４】
2010134333.tif 000006
【図５】
2010134333.tif 000007
【図６】
2010134333.tif 000008
【図７】
2010134333.tif 000009
【図８】
2010134333.tif 000010
【図９】
2010134333.tif 000011